(57)【要約】【課題】壁の厚さが不特定であっても対応可能にして工事前の余計な労力を低減し、結露の排出をも可能にして衛生的にも良好な貫通スリーブを提供する。【解決手段】壁３の配管口４に対して室外側から挿通して成り、略半円周上面側に切断支援溝１２…，１３…を有し左右外周側の位置に複数段の被係合部１４…を有する内筒スリーブ体５と、配管口４に対して室内側から挿通しかつ配管口４内で内筒スリーブ体５を収容可能にして成り、後端側にフランジ部２２を有し左右内周側に複数段の被係合部１４…のうち左右１組の被係合部１４，１４に係合する１対の連結用の係合部２９，２９を有する外筒スリーブ体６とを備える。配管口４、内筒スリーブ体５、及び外筒スリーブ体６は、室外方向に向けて下方に傾斜する。内筒スリーブ体５の室内側に突出する部分は切断支援溝１２，１３を切断して略半円周上面状の結露受け部分５ｂを残す。この後、室内側に壁２を施工する。【選択図】      図１
2004218795.tif 000002
【特許請求の範囲】
【請求項１】
壁の配管口に対して室外側から挿通して成り、略半円周上面側に切断支援溝を有するとともに、略外周側の他の位置に複数段の被係合部を有する内筒スリーブ体と、
上記配管口に対して室内側から挿通しかつ配管口内で内筒スリーブ体を収容可能にして成り、後端側にフランジ部を有するとともに、内周側に上記複数段の被係合部のうち１つの被係合部に係合する連結用の係合部を有する外筒スリーブ体とを備えることを特徴とする貫通スリーブ。
【請求項２】
壁の配管口に対して室外側から挿通して成り、略半円周上面側に切断支援溝を有するとともに、左右外周側の位置に複数段の被係合部を有する内筒スリーブ体と、
上記配管口に対して室内側から挿通しかつ配管口内で内筒スリーブ体を収容可能にして成り、後端側にフランジ部を有するとともに、左右内周側に上記複数段の被係合部のうち左右１組の被係合部に係合する１対の連結用の係合部を有する外筒スリーブ体とを備えることを特徴とする貫通スリーブ。
【請求項３】
壁の配管口に対して室外側から挿通して成り、略半円周上面側に切断支援溝を有するとともに、対向する下方外周側の位置に複数段の被係合部を有し、かつ内周の内空部分の側に室内側から室外側に傾斜する結露受け板部分を有する内筒スリーブ体と、
上記配管口に対して室内側から挿通しかつ配管口内で内筒スリーブ体を収容可能にして成り、後端側にフランジ部を有するとともに、下方内周側に上記複数段の被係合部のうち１つ以上の被係合部に係合する連結用の１つ以上の係合部を有する外筒スリーブ体とを備えることを特徴とする貫通スリーブ。
【請求項４】
上記壁が所定間隔を有する二重の壁である場合、室外側の壁の配管口に対し上記内筒スリーブ体、及び外筒スリーブ体を挿通させ適用することを特徴とする請求項１乃至３の何れか記載の貫通スリーブ。
【請求項５】
上記切断支援溝は、左右側方の中軸線方向に沿う縦方向の溝、及び左右側方の縦方向の溝に所定間隔毎に連絡する複数段の横方向の溝を形成して成ることを特徴とする請求項１乃至４の何れか記載の貫通スリーブ。
【請求項６】
上記配管口、内筒スリーブ体、及び外筒スリーブ体は、室外方向に向けて下方に傾斜する構成を有することを特徴とする請求項１乃至５の何れか記載の貫通スリーブ。
【請求項７】
上記被係合部は室内方向へ傾斜する複数段の三角突起から構成されて成り、上記係合部は可撓性を有する外筒スリーブ体の一部である板状部材の先端内側に室外方向へ傾斜する三角突起を設けて当該被係合部に係合可能であることを特徴とする請求項１乃至６の何れか記載の貫通スリーブ。
【請求項８】
外筒スリーブ体の先端開口の内周側に対し、内筒スリーブ体の横方向の切断支援溝に係合し得る三角突起状の連結支援突起を形成したことを特徴とする請求項１乃至７の何れか記載の貫通スリーブ。
【請求項９】
上記板状部材の外筒スリーブ体との連絡部分に対し一旦外側に湾曲してＳ字状を成す湾曲部分を構成したことを特徴とする請求項１乃至８の何れか記載の貫通スリーブ。
【請求項１０】
上記被係合部は、所定間隔毎に先端側のエッジが丸み乃至傾斜を帯びて直立する突起状の複数段の被係合突起から構成されて成り、上記係合部も同様に所定間隔毎に先端側のエッジが丸み乃至傾斜を帯びて直立する突起状の複数段の係合突起から構成されて成ることを特徴とする請求項１乃至９の何れか記載の貫通スリーブ。
【請求項１１】
上記被係合部は、内筒スリーブ体の外周側から内側へ窪む凹部の部分に構成することを特徴とする請求項１乃至１０の何れか記載の貫通スリーブ。
【請求項１２】
上記フランジ部に対し平行の外方に突出する複数の突起部を設け、各突起部にネジ止め用乃至釘止め用等の孔を形成したことを特徴とする請求項１乃至１１の何れか記載の貫通スリーブ。
【請求項１３】
上記内筒スリーブ体、及び外筒スリーブ体は、少なくとも空調機の室外機と室内機を結ぶ冷媒用の管、もしくは冷媒用の管を収容する配管の挿通に対し適用することを特徴とする請求項１乃至１２の何れか記載の貫通スリーブ。
【発明の詳細な説明】
【０００１】
【発明の属する技術分野】
本発明は、建物の室外側の壁に対し、例えば空調機器の室外機と室内機とを結ぶ冷媒用の管もしくは冷媒用の管を収容する例えば保護用の配管等を挿通するための内筒スリーブ体及び外筒スリーブ体の組み合わせを用いて成る貫通スリーブに関する。
【０００２】
【従来の技術】
従来、例えば建物の壁が一重である場合はもとより、所定間隔を有する二重の壁である場合も、室外側の壁に対し建築時に配管口を設けて空調用の配管等を挿通するための貫通スリーブを挿通し配設することがよく行われている。一般的には、室内側の後端側にフランジを有するとともに、あらかじめ壁の厚さに対応した全長を有する１本の貫通スリーブを室内側から配管口内に挿通させ、この１本の貫通スリーブの室外側の先端側に対し一部外周にフランジを有する塞ぎキャップを室外側から配管口内に相通し装着させ、配管口を双方のフランジで挟むという構成が用いられている。
【０００３】
【発明が解決しようとする課題】
しかしながら、上述した従来の技術においては、あらかじめ壁の厚さに対応した全長の１本の貫通スリーブを用意して対応するという工法であるため、少なくとも業者はあらかじめ設計図を求めて壁の厚さをよく熟知するか、設計者側乃至建物の骨格（壁等）を施工する業者側との間で詳しい打ち合わせを行って壁の厚さ等をよく熟知しておく必要があり、この点、工事前に多くの労力を余儀なくされるという課題があった。
【０００４】
また、従来の１本の貫通スリーブを用いた工法では、あらかじめ壁の厚さに対応した１本の貫通スリーブを用意して配管口に組み込んでしまうため、特に二重の壁である場合、冷媒管の結露等が壁と壁との間の隙間に落下して下方の土台側に溜まりカビや好ましくない各種の雑菌等が繁殖する事態が発生したとしても、これが室内に侵入して居住者等の呼吸器や皮膚等に疾患をもたらす原因ともなる現状に対し全く対応することができないという欠点もあった。
【０００５】
本発明は、上記課題に鑑み成されたものであり、建築構造物における二重壁である内壁、外壁相互の間隙内に例えば空調機器用の各種配管類を収納するに際し、外壁を貫通して配管する場合に、特に外壁の厚さが不特定であってもその壁厚さに対応調整して貫通路を確実に構成することを可能にして、工事前の余計な労力を低減し、かつ結露の排出をも可能にして衛生的にも好ましい貫通スリーブを提供することを目的とする。
【０００６】
【課題を解決するための手段】
上述した課題を解決するため、本発明にあっては、壁３（３Ｗ）の配管口４（３２）に対して室外側から挿通して成り、略半円周上面側に切断支援溝１２…１３…（４２…，４３…）を有するとともに、略外周側の他の位置に複数段の被係合部１４…（４５）を有する内筒スリーブ体５（３３）と、上記配管口４（３２）に対して室内側から挿通しかつ配管口４（３２）内で内筒スリーブ体５（３３）を収容可能にして成り、後端側にフランジ部２２（５２）を有するとともに、内周側に上記複数段の被係合部１４…（４５）のうち１つの被係合部１４（４５）に係合する連結用の係合部２９（４５）を有する外筒スリーブ体６（３４）とを備えることを特徴とする。
また、本発明にあっては、壁３の配管口４に対して室外側から挿通して成り、略半円周上面側に切断支援溝１２…，１３…を有するとともに、左右外周側の位置に複数段の被係合部１４…を有する内筒スリーブ体５と、上記配管口４に対して室内側から挿通しかつ配管口４内で内筒スリーブ体５を収容可能にして成り、後端側にフランジ部２２を有するとともに、左右内周側に上記複数段の被係合部１４…のうち左右１組の被係合部１４，１４に係合する１対の連結用の係合部２９，２９を有する外筒スリーブ体６とを備えることを特徴とする。
また、本発明にあっては、壁３Ｗの配管口３２に対して室外側から挿通して成り、略半円周上面側に切断支援溝４２…，３４…を有するとともに、対向する下方外周側の位置に複数段の被係合部４５…を有し、かつ内周の内空部分の側に室内側から室外側に傾斜する結露受け板部分３９を有する内筒スリーブ体３３と、上記配管口３２に対して室内側から挿通しかつ配管口３２内で内筒スリーブ体３３を収容可能にして成り、後端側にフランジ部５２を有するとともに、下方内周側に上記複数段の被係合部４５…のうち１つ以上の被係合部４５に係合する連結用の１つ以上の係合部５５…を有する外筒スリーブ体３４とを備えることを特徴とする。
上記壁が所定間隔を有する二重の壁である場合、室外側の壁３（３Ｗ）の配管口４（３２）に対し上記内筒スリーブ体５（３３）、及び外筒スリーブ体６（３４）を相通させ適用することを特徴とする。
上記切断支援溝１２，１３（４２，４３）は、左右側方の中軸線方向に沿う縦方向の溝１２（４２）、及び左右側方の縦方向の溝１２（４２）に所定間隔毎に連絡する複数段の横方向の溝１３（４３）を形成して成ることを特徴とする。
上記配管口４（３２）、内筒スリーブ体５（３３）、及び外筒スリーブ体６（３４）は、室外方向に向けて下方に傾斜する構成を有することを特徴とする。
上記被係合部１４（４５）は室内方向へ傾斜する複数段の三角突起から構成されて成り、上記係合部２９（５５）は可撓性を有する外筒スリーブ体６（３４）の一部である板状部材２７の先端内側に室外方向へ傾斜する三角突起２８を設けて当該被係合部１４（４５）に係合可能であることを特徴とする。
外筒スリーブ体６（３４）の先端開口２５（５６）の内周側に対し、内筒スリーブ体５（３３）の横方向の切断支援溝１３（４３）に係合し得る三角突起状の連結支援突起５９を形成したことを特徴とする。
上記板状部材２７の外筒スリーブ体６（３４）との連絡部分に対し一旦外側に湾曲してＳ字状を成す湾曲部分２７ａを構成したことを特徴とする。
上記被係合部１４（４５）は、所定間隔毎に先端側のエッジが丸み乃至傾斜を帯びて直立する突起状の複数段の被係合突起４６…から構成されて成り、上記係合部５５も同様に所定間隔毎に先端側のエッジが丸み乃至傾斜を帯びて直立する突起状の複数段の係合突起５７…から構成されて成ることを特徴とする。
上記被係合部１４（４５）は、内筒スリーブ体５（３３）の外周側から内側へ窪む凹部の部分５ｃ（４４）に構成することを特徴とする。
上記フランジ部２２（５２）に対し平行の外方に突出する複数の突起部２３（５３）を設け、各突起部２３（５３）にネジ止め用乃至釘止め用等の孔２４（５４）を形成したことを特徴とする。
上記内筒スリーブ体５（３３）、及び外筒スリーブ体６（３４）は、少なくとも空調機の室外機と室内機を結ぶ冷媒用の管、もしくは冷媒用の管を収容する配管Ｈの挿通に対し適用することを特徴とする。
【０００７】
以上のように構成された本発明にあって、壁３（３Ｗ）の配管口４（３２）に対して室外側から内筒スリーブ体５（３３）挿通し、かつ室内側から外筒スリーブ体６（３４）を挿通させ、この際に内筒スリーブ体５（３３）の被係合部１４…（４５）に対し外筒スリーブ体６（３４）の係合部２９（４５）を係合させ、もって内筒及び外筒スリーブ体５（３３），６（３４）同士を一体的に係合連結する。内筒スリーブ体５（３３）の先端側が外筒スリーブ体６（３４）から室内側に突出する場合、内筒スリーブ体５（３３）の突出する部分の略半円周上面側の切断支援溝１２…１３…（４２…，４３…）を切断し、当該略半円周上面側を廃棄する。この後、壁３（３Ｗ）の室内側にもう１つの壁を施工した場合、室外側から内筒及び外筒スリーブ体５（３３），６（３４）に所要の配管を挿通し、配管からの結露の落下は、内筒スリーブ体５（３３）に残る略半内周下面側の部分５ａ（３８）で受け止め外部へ排出する。
また、本発明にあっては、壁３の配管口４に対して室外側から内筒スリーブ体５を挿通させ、かつ室内側から外筒スリーブ体６を挿通させ、もって左右外周側の複数段の被係合部１４…と左右内周側の連結用の係合部２９，２９とを係合させることで、内筒及び外筒スリーブ体５，６同士を係合連結する。この場合も、内筒スリーブ体５の外筒スリーブ５から室内側へ突出する部分は、切断支援溝１２…，１３…を切断して略半円周下面側の部分５ｂを残す。室内側にもう１つの壁を施工した場合は、内筒及び外筒スリーブ体５，６に室外側から所要の配管を通し、配管から落下した結露はその略半円周下面側の部分５ｂで受け止め外部へ排出する。
また、本発明にあっては、壁３Ｗの配管口３２に対して室外側から内筒スリーブ体３３を挿通させ、かつ室内側から外筒スリーブ体３４を挿通させ、もって外周下方の複数段の被係合部４５…と内周下方の連結用の係合部５５…とを係合させることで、内筒及び外筒スリーブ体３３，３４同士を係合連結する。この場合も、内筒スリーブ体３３の外筒スリーブ３４から室内側へ突出する部分は、切断支援溝４２，４３を切断して略半円周下面側の部分３８を残す。室内側にもう１つの壁を施工した後、内筒及び外筒スリーブ体３３，３４に室外側から所要の配管を通し、配管から落下する結露はその略半円周下面側の部分３８で受け止め外部へ排出する。
即ち上記壁が所定間隔を有する二重の壁である場合、室外側の壁３（３Ｗ）に対し配管口４（３２）を形成し、上記内筒スリーブ体５（３３）及び外筒スリーブ体６（３４）を挿通させ係合連結させる。
上記切断支援溝１２，１３（４２，４３）が、左右側方の中軸線方向に沿う縦方向の溝１２（４２）、及び左右側方の縦方向の溝１２（４２）に所定間隔毎に連絡する複数段の横方向の溝１３（４３）で構成される場合、カッタ具等で縦方向、及び横方向の溝１２，１３（４２，４３）を適宜切断することで、二重の壁３（３Ｗ）…の間の隙間８（３６）に対し内筒スリーブ体５（３３）の略半円周下面側の部分５ａ（３８）を残せる。
上記配管口４（３２）、内筒スリーブ体５（３３）、及び外筒スリーブ体６（３４）が室外方向に向けて下方に傾斜する場合、落下する結露は傾斜に沿って流下し外部に排出される。
上記被係合部１４（４５）が室内方向へ傾斜する複数段の三角突起であり、係合部２９（５５）が可撓性を有する板状部材２７の先端内側の三角突起２８である場合、双方が係合する際は、板状部材２７が内外の方向へ撓みながら先端内側の三角突起２８が内筒及び外筒スリーブ体５（３３），６（３４）の連結を最も深くする最適位置の被係合部１４（４５）たる三角突起に係合連結する。
外筒スリーブ体６（３４）の先端開口２５（５６）の内周側に対し三角突起状の連結支援突起５９を形成した場合、双方の係合連結に際し、この連結支援突起５９も内筒スリーブ体５（３３）の横方向の切断支援溝１３（４３）等に係合して双方の係合連結を安定させる。
上記板状部材２７の外筒スリーブ体６（３４）との連絡部分に対し一旦外側に湾曲してＳ字状を成す湾曲部分２７ａを構成した場合、湾曲部分２７ａが良く撓んで被係合部１４（４５）への係合部２９（５５）の摺接移動及び係合を一段と円滑にさせる。
上記被係合部１４（４５）が所定間隔毎に先端側のエッジが丸み乃至傾斜を帯びて直立する突起状の複数段の被係合突起４６…から成り、上記係合部５５も所定間隔毎に先端側のエッジが丸み乃至傾斜を帯びて直立する突起状の複数段の係合突起５７…から成る場合も、複数段の被係合突起４６…に対する複数段の係合突起５７…の摺接移動及び係合を円滑にさせる。
上記被係合部１４（４５）が内筒スリーブ体５（３３）の外周側から内側へ窪む凹部の部分５ｃ（４４）に構成される場合、被係合部１４（４５）が内筒スリーブ５（３３）外周からの突出を回避して双方の係合連結による一体化に際し内筒スリーブ体５（３３）の外周及び外筒スリーブ体６（３４）の外周との間に隙間を生じさせず、その一体化をより安定させる。
上記フランジ部２２（５２）に対する複数の突起部２３（５３）の孔２４（５４）にはネジ乃至釘等を打ち込み、一体化を図った貫通スリーブ１を壁３（３Ｗ）に対し強固に固定する。
上記内筒スリーブ体５（３３）、及び外筒スリーブ体６（３４）は、少なくとも空調機の室外機と室内機を結ぶ冷媒用の管、もしくは冷媒用の管を収容する配管Ｈの挿通に対し適用する場合でも、内筒スリーブ５（３３）の二重の壁３（３Ｗ）…の間の隙間８（３６）に突出する略半円周下面側の部分５ｂ（３８）が頻繁に落下する結露を順次外部へ排出する。
【０００８】
【発明の実施の形態】
以下、図１乃至図５を参照して本発明の第１の実施の形態を説明する。図１において、符号１は貫通スリーブであり、二重の壁２，３のうち外側（室外側）の壁３の外方の下方に向けて例えば５°程度で傾斜する円筒的な配管口４内に室外側から挿通される例えば合成樹脂製等の外方の下方に向けて同じく５°程度で傾斜する内筒スリーブ５と、配管口４内に室内側から挿通されるとともに、配管口４内で内筒スリーブ体５をも収容し一体的な関係をもつ例えば合成樹脂製等の外方の下方に向けて同じく５°程度傾斜する外筒スリーブ体６とを備えて構成されている。尚、ここに記載する傾斜は５°程度の傾斜の設定に限らず５°よりも小さくとも、大きくとも良い。
【０００９】
特に、図１に示す内筒スリーブ体５の全長は、あらかじめ所定の取り決め乃至は例えば厚い壁７用（図２参照：内筒スリーブ体５の一部半円周上面側は非切除）に設定された全長（あらかじめ壁３の厚さと壁２，３の間の隙間８に対応させた全長の場合を含む）である。従って内筒スリーブ体５の先端側は、外筒スリーブ体６を付き抜けて二重の壁２，３の間の隙間８内に突出されており、かつ詳しくは後述するように内筒スリーブ５の一部の略半円周上面側（図１に示す状態から見て略半円周上面側）を切除（図１中、符号５ａに切除後の部分を示す）することで、この突出して略半円周下面側に残る部分（結露受け部分）５ｂが例えば空調機の室外機と室内機を結ぶ冷媒用の管を収容する配管Ｈからの結露等の落下を受け止めて外部に排出（流下排出）する機能を実現している。
【００１０】
即ち、内筒スリーブ体５は、図３及び図４に示すように、室内側の先端開口１１の左右両端よりも若干図示上方側の左右の位置から後方の中軸線に沿う方向に向けて左右の縦方向の切断支援溝１２，１２が形成されているとともに、左右の縦方向の切断支援溝１２，１２を所定間隔毎に略半円周方向に結ぶ複数段の横方向の切断支援溝１３…が形成されている。各切断支援溝１２…、１３…の形状は、図４（Ｂ）の点線部分ａを拡大した図４（Ｄ）に示すように、後方側の面ｆａが垂直下方に切り込まれるとともに、前方側の面ｆｂが室内方向に向けて下方に傾斜する如く切り込まれて成る略Ｖ字状の形状となっている。
【００１１】
内筒スリーブ体５を壁３の配管口４に対し外側（室外側）から挿通させることで、内筒スリーブ体５の先端側（先端開口１１側）が壁２，３の間の間隔８に突出する場合は、左右の縦方向の切断支援溝１２，１２の当該突出する部分に相当する長さ分、並びに突出する部分の根元側（壁３の室内側の側面に極力近い側）に相当する位置の横方向の切断支援溝１３を所要のカッタ具（図示せず：細かい刃の鋸等でも良い）等を用いて切断する。この場合、内筒スリーブ体５が合成樹脂等から構成されるため、図１に示す如く突出する部分の一部の略半円周上面側を容易に切除（図１で、符号５ａに対応、但し切除後の長さは突出する部分の長さに応じて相違する）することができる。そして、この一部の略半円周上面側の切除を行うことで、内筒スリーブ体５の当該突出する残りの部分には概ね略半円周下面側の結露受け部分５ｂが形成される。
【００１２】
また、内筒スリーブ５の水平的１直径上の左右外周側の中軸線に沿う２箇所の位置には、内筒スリーブ５の外周から内空部側に所定幅の直線状に引っ込む凹部（図３及び図４参照）の部分５ｃ，５ｃを介して複数段の被係合部１４…が一直線上に羅列されて形成されている。本例の場合、図４（Ｂ）の点線部分ａを拡大した同図（Ｅ）に示すように、複数段の被係合部１４…は、内筒スリーブ体５の外周から突出することのない状態で各々前方側が室内方向の下方へ傾斜する傾斜面１４ａを有するとともに、後方側が中軸線に対し垂直状の係止面１４ｂとなる複数の三角突起を羅列して構成されている。
【００１３】
尚、内筒スリーブ体５の少なくとも後端開口１１ａは、内筒スリーブ体５を壁３の配管口４内に室外側から挿通させた場合、上述した如く内筒スリーブ体５が下方へ傾くため、壁３の外面（配管口４の外側端面）と角度的に一致させるべく全体的に室内方向の上方へ傾けてカットしたような開口形状となっている。
【００１４】
一方、外筒スリーブ体６は、図３及び図５に示すように、後端開口２１側（壁３の開通口４への室内側からの挿通方向に対し後端側）に中軸線に対し直角方向を向くフランジ部２２が設けられるとともに、フランジ部２２外周の等間隔の３箇所の位置にはフランジ部２２に対し平行の外方に突出する突起部２３…が設けられており、各突起部２３…にはネジ止め用乃至釘止め用等の孔２４…が形成されている。
【００１５】
また、外筒スリーブ体６の先端開口２５側（開通口４への挿通方向に対し先端側となる開口側）の水平的１直径上の左右外周側の中軸線に沿う方向の２箇所の位置には、上記被係合部１４…としての複数段の三角突起の係合面１４ｂに対し係合連結させるための左右の切欠部分２６…の間で構成された可撓性を有する板状部材２７の先端内側に対し室外方向へ向けて傾斜する三角突起２８，２８を設けて成る係合部２９，２９が構成されている。尚、図５（Ｂ）のａ−ａ線に沿う拡大断面を示した図５（Ｄ）に示すように、板状部材２７の外筒スリーブ体６との連絡部分（根元側部分）に対し外側及び平行側に屈曲してＳ字状を成す湾曲部分２７ａを形成することで、通常（非使用時）の板状部材２７，２７は、外筒スリーブ６の外周面に対し若干外方側に押し出す如く導かれるとともに外筒スリーブ６の中軸線上に平行に沿う方向に向けられている。
【００１６】
尚、図５に示すように、外筒スリーブ体６の先端開口２５は、外筒スリーブ体６を壁３の配管口４内に室内側から挿通させた場合、上述した如く外筒スリーブ体６が下方へ傾いているため、壁３の内面（配管口４の外側端面）と角度的に一致させるべく全体的に室内方向の上方へ傾けさせてカットしたような開口形状となり、かつ外筒スリーブ体６のフランジ部２２及び後端開口２１も、壁３の内面（配管口４の内側端面）と角度的に一致させるべく全体的に室内方向の上方へ傾けさせてカットしたような開口形状となっており、即ち外筒スリーブ６を壁３の配管口４内へ挿通させた場合には、双方の開口２５，２１は互いに垂直方向を向いて平行となるようカットしたような開口形状となっている。
【００１７】
次に、主に図１及び図３に基づいて本実施の形態の使用の一例について説明する。先ず建物の建築施工の際、二重の壁２，３のうち、始めに外側（室外側）の壁３を施工した段階で壁３の所要位置に対し本例の如く例えば外方に斜め５°下方を向く配管口４を形成する。続いて本発明に係わる内筒スリーブ体５を、その係合部１４，１４を正しく左右水平の位置に合せながら室外側から配管口４内に挿通させ、内筒スリーブ体５の後端開口（室外側の開口）１１ａの角度を壁３の外面と平行的に一致する同一面的な状態に設定する。
【００１８】
しかる後、外筒スリーブ体６のフランジ部２２の角度を壁３の内面と平行的に一致する状態を保ちながら室内側から配管口４内に挿通させ、かつ外筒スリーブ体６の内周内に内筒スリーブ体５を収容させてゆく。そして、外筒スリーブ体６の挿通を順次深くさせるとともに、外筒スリーブ体６の左右の係合部２９，２９を構成する板状部材２７，２７の三角突起２８，２８を内筒スリーブ体５の左右１組の複数の被係合部１４…を構成する左右１対の複数の三角突起のうち挿通の限界的位置の左右１対の三角突起の係止面１４ｂ，１４ｂに係合させ、内筒及び外筒スリーブ体５，６の一体的な係合連結を行う。
【００１９】
尚、内筒スリーブ体５、外筒スリーブ体６両者の組合せに際し、外筒スリーブ体６を配管口４に装着した後に内筒スリーブ体５を外筒スリーブ体６に収容挿通させるも、外筒スリーブ体６と内筒スリーブ体５とを予め組合せた後に配管口４に挿入させても良いのであり、組合せに際しての係合部２９，２９と被係合部１４…と係合位置は壁３の厚さに対応して調整される。
【００２０】
かくて壁３の配管口４に対し内筒及び外筒スリーブ５，６を一体化した貫通スリーブ１の装着を行ったことで、図１に示すように、薄い壁厚さである壁３の内側（室内側）に対し外筒スリーブ６を突き抜け突出する内筒スリーブ５の先端側の部分が存在する場合、当該部分の略半円周上面側には、あらかじめ左右の縦方向の切断支援溝１２，１２、及び複数の横方向の切断支援溝１３…が形成されているから、内筒スリーブ５の当該突出する部分に相当する長さ分の左右の縦方向の切断支援溝１２，１２、並びに当該突出する部分の根元側（外筒スリーブ６のフランジ部２２に極力近い側）に相当する位置の１つの横方向の切断支援溝１３をカッタ等を用いて切断し切除後の半外周上面側の部分５ａは廃棄する。また図２に示すように、厚い壁厚さである壁７に貫通配置する場合には、その配管口４内で内筒及び外筒スリーブ５，６が内外に突出することなくきっちりと収納されるときには、内筒スリーブ体５の一部を切除する必要はないのである。
【００２１】
この段階にあっては、内筒スリーブ５の当該突出する部分には、略半外周下面側の部分が結露受け部分５ｂとして残ることになり、この後、壁３の室内側には次の施工作業として壁３から所定間隔８分で離れた位置に壁２が施工されるが、結露受け部分５ｂは当該所定間隔８内に収まった状態を維持する。しかる状態で、一体を維持する貫通スリーブ１の後端開口１１ａに対し例えば空調機の室外機と室内機を結ぶ冷媒用の管を収容する配管Ｈを挿通させる。この場合、貫通スリーブ１が先端側（即ち外筒スリーブ体６の後端開口２１側）を上に向けた如く傾斜するため、配管Ｈの先端は、壁２の外面側に斜め下方から突き当たる反動で壁２の外面に沿って容易に上方へ進んでゆくことができる。但し、このことは配管Ｈの先端を上方から紐等で引っ張る場合も同様である。そして、空調機の使用により配管Ｈに発生する結露が落下したとしても、結露は内筒スリーブ体５の結露受け部分５ｂを伝って流下し外界に排出される。
【００２２】
次に、図６乃至図１０を参照して本発明の第２の実施の形態を説明する。図６において、符号３１は貫通スリーブであり、二重の壁２Ｗ，３Ｗのうち外側（室外側）の壁３Ｗに形成した傾斜のない円筒的な配管口３２内に室外側から挿通される例えば合成樹脂製等の内筒スリーブ体３３と、配管口３２内に室内側から挿通されるとともに、配管口３２内で内筒スリーブ体３３をも収容し一体的な関係をもつ例えば合成樹脂製等の外筒スリーブ体３４とを後述する係合で一体的に連結して構成されている。
【００２３】
殊に、図６に示す内筒スリーブ体３３の全長も、あらかじめ所定の取り決め、乃至は例えば厚い壁３５用（図７参照：この場合、内筒スリーブ体３３の一部半外周上面側は非切除）に設定された全長（但し、あらかじめ壁３Ｗの厚さと壁２Ｗ，３Ｗの間の隙間３６に対応させた全長の場合をも含む）である。従って内筒スリーブ体３３の先端側は、外筒スリーブ体３４を付き抜けて二重の壁２Ｗ，３Ｗの間の隙間３６となる空間（図６（Ｂ）参照）内に突出されており、かつ詳しくは後述するように内筒スリーブ３３の一部の略半外周上面側（図６に示す状態から見て略半上面側）を切除（図６（Ａ）中、符号３７に切除後の部分を示す）することで、この突出して略半外周下面状に残る部分３８の内周側に設けられた結露受け板部分３９が例えば空調機の室外機と室内機を結ぶ冷媒用の管を収容する配管Ｈからの結露等の落下を受け止めて外部に排出（流下排出）する機能を実現している。
【００２４】
即ち、内筒スリーブ体３３は、図８及び図９に示すように、室内側の先端開口４１の外周で左右両端よりも若干図示上方側の左右の位置から後方の中軸線に沿う方向に向けて左右の縦方向の切断支援溝４２，４２が形成されているとともに、左右の縦方向の切断支援溝４２，４２を所定間隔毎に略半円周方向に結ぶ複数段の横方向の切断支援溝４３…が形成されている。各切断支援溝４２…、４３…の形状は、第１の実施の形態の場合と同様でも良いが、例えば本例では一面が垂直となる斜めＶ字状に所謂切り込んだような形状となっている。
【００２５】
内筒スリーブ体３３を壁３Ｗの配管口３２に対し外側（室外側）から挿通させることで、内筒スリーブ体３３の先端側（先端開口４１側）が壁２Ｗ，３Ｗの間の間隔３６に突出する場合は、上述の左右の縦方向の切断支援溝４２，４２の当該突出する部分に相当する長さ分、並びに当該突出する部分の根元側（壁３Ｗの室内側の側面に極力近い側）に相当する位置の横方向の切断支援溝４３を所要のカッタ具（図示せず：細かい刃の鋸等でも良い）等を用いて切断する。この場合、内筒スリーブ体３３が合成樹脂等から構成されるため、図６（Ａ）に示す如く突出する部分の一部の略半外周上面側を容易に切除（図６（Ａ）で、符号３７に対応、但し切除後の長さは突出する部分の長さに応じて相違する）することが可能である。そして、この一部の略半外周上面側の部分３７の切除を行うことで、内筒スリーブ体３３の当該突出する残りの部分は概ね略半外周下面状に残る部分３８として形成される。
【００２６】
また、内筒スリーブ３３の内周側において室内側を向く先端開口４１側の左右一定の概ね下方側の位置から例えば３°の勾配（但し、この場合も３°よりも小さくとも、大きくとも良い）で後端開口４８側の下方中心側の位置に掛けて傾斜する上述の結露受け板部分３９が構成されている。また、内筒スリーブ３３の外周側で結露受け板部分３９の外側において結露受け板部分３９の中心線に沿う１箇所の位置には、内筒スリーブ体３３の外周から中軸線に沿う内空部側に所定幅で直線的に引っ込む凹部（図６（Ｂ）、図９（Ｅ）参照）の部分４４を介して複数段の被係合部４５…が一直線上に羅列されて形成されている。本例の場合、図９（Ｅ）に示すように、複数段の被係合部（被係合突起）４５…は、内筒スリーブ体３３の外周から突出することのない状態で各々所定幅で所定間隔毎に垂直外方（図示下方）へ突出する複数の連結突起４６…を羅列して構成されており、各連結突起４６…の先端側の中軸線からみて前後のエッジには丸み乃至傾斜部分が形成されている。
【００２７】
尚、内筒スリーブ体３３の後端側には、図９（Ｂ）、（Ｃ）に示すように、環状閉塞部分４７を介して中軸線に平行の外向に所定幅で突出する環状突起状の後端開口４８が形成されており、環状閉塞部分４７の外周側には中軸線に対し直角の外方を向くフランジ部４９が形成されている。但し、フランジ部４９の内面側は、壁３Ｗの外面に係止させるものではなく、配管口３２内で外筒スリーブ体３４の先端側（室外側の開口側）を受け止めるものである。
【００２８】
一方、外筒スリーブ体３４は、図８及び図１０に示すように、後端開口５１側（壁３Ｗの開通口３２への室内側からの挿通方向に対し後端側）に中軸線に対し直角外方を向くフランジ部５２が設けられるとともに、フランジ部５２外周の等間隔の３箇所の位置にはフランジ部５２に対し平行の外方に突出する突起部５３…が設けられており、各突起部５３…にはネジ止め用乃至釘止め用等の孔５４…が形成されている。
【００２９】
また、外筒スリーブ体３４の内周側において垂直方の１直径上の下方（図示最下方）で中軸線に沿う方向の１箇所の位置には、所定幅で所定間隔毎に内方（内空部方向）へ突出する複数段の係合部（係合突起）５５…が構成されている。本例の場合、図１０（Ａ）のａ−ａ線に沿う断面である図１０（Ｄ）にも示すように、複数段の係合部５５…は、外筒スリーブ体３４の上述した位置において後端開口５１側から先端開口５６側へ掛けて各々所定幅で所定間隔毎に内方（図示上方）へ突出する複数段の連結突起５７…を羅列して構成されており、かつこの各連結突起５７…の先端側の中軸線からみて前後のエッジにも丸み乃至傾斜部分を形成することで、内筒スリーブ体３３の複数段の被係合部４５としての複数段の連結突起４６…との噛み合わせ係合を円滑に行えるようになっている。
【００３０】
尚、図１０（Ｄ）のｂで指し示す部分の拡大断面である図１０（Ｅ）に示すように、外筒スリーブ体３４の先端開口５６の内周側において垂直方の１直径上の上方（図示最上方）の位置には、上述した内筒スリーブ体３３の横方向の切断支援溝４３…に係合し得るよう例えば３６°の傾斜面５８を有する三角突起状の連結支援突起５９が形成されており、内筒スリーブ体３３との係合連結を安定して行うことに対し支援できるようになっている。
【００３１】
次に、主に図６び図８に基づいて本実施の形態の使用の一例について説明する。先ず建物の建築施工の際、本例の場合も二重の壁２Ｗ，３Ｗのうち、始めに外側（室外側）の壁３Ｗを施工した段階で壁３Ｗの所要位置に対し水平方向を向く配管口３２を形成する。続いて本発明に係わる内筒スリーブ体３３を係合部４５を例えば最下方の位置に合せながら室外側から配管口３２内に挿通させる。
【００３２】
しかる後、外筒スリーブ体３４のフランジ部５２を壁３Ｗの内面側と平行的に一致させるべく外筒スリーブ体３４を室内側から配管口３２内に挿通させ、かつ外筒スリーブ体３４の内周内に内筒スリーブ体３３を収容させてゆく。そして、外筒スリーブ体３４の挿通を順次深くさせるとともに、外筒スリーブ体３４の下方の係合部５５…を構成する連結突起５７…を内筒スリーブ体３３の下方の複数の被係合部４５…としての複数の連結突起４６…に係合させ、かつ外筒スリーブ体３４の先端開口５６の連結支援突起５９を内筒スリーブ体３３の最も奥（後端の開口４８側）の１つの横方向の切断支援溝４３…に係合させ、この双方の係合で内筒スリーブ体３３と外筒スリーブ体３４との確実な係合連結を行う。
【００３３】
かくて壁３Ｗの配管口３２に対し内筒及び外筒スリーブ３３，３４を一体化した貫通スリーブ３１の装着を行ったことで、図６に示すように、壁３Ｗの内面側（室内側）に対し外筒スリーブ３４を突き抜け突出する内筒スリーブ３３の先端側の部分が存在する場合、内筒スリーブ３３の当該突出する部分に相当する長さ分の左右の縦方向の切断支援溝４２，４２、並びに当該突出する部分の根元側（外筒スリーブ３４のフランジ部５２に極力近い側）に相当する位置の１つの横方向の切断支援溝４３をカッタ具等を用いて切断し切除後の半外周上面側の部分３７は廃棄する。
【００３４】
この段階にあっては、内筒スリーブ３３の当該突出する部分には、略半外周下面側の部分が結露受け板部分３９とともに残ることになり、この後、壁３Ｗの室内側には次の施工作業として壁３Ｗから所定間隔３６分離れた位置に壁２Ｗが施工されるが、結露受け板部分３９は当該所定間隔３６内に収まった状態を維持する。しかる状態で、一体を維持する貫通スリーブ３１の後端開口４８に対し例えば空調機の室外機と室内機を結ぶ冷媒用の管を収容する配管Ｈを挿通させる。この場合も、配管Ｈの先端は、壁２Ｗの外面側に突き当たる反動で壁２Ｗの外面に沿って容易に上方へ進んでゆくことが可能である。但し、この場合も配管Ｈの先端を上方から紐等で引っ張ることで同様の対応を見ることができる。そして、空調機の使用により配管Ｈに発生する結露が落下したとしても、結露は内筒スリーブ体３３の結露受け板部分３９を伝って流下し外界に排出される。
【００３５】
【発明の効果】
本発明は、以上のように構成されているために、壁３（３Ａ），７の厚さが不特定であってもそれらに対応して調整された長さで確実に装着することができ、貫通スリーブ１を装着する工事前の余計な労力を低減することができ、しかも結露の排出をも可能にしてカビや好ましくない各種の雑菌の発生等をも効率良く防止できるという衛生的にも優れた効果を発揮する。
【００３６】
即ち、これは本発明において、壁３（３Ｗ）の配管口４（３２）に対して室外側から内筒スリーブ体５（３３）を挿通し、かつ室内側から外筒スリーブ体６（３４）を挿通させ、この際に双方の被係合部１４…（４５）及び係合部２９（４５）を係合させることで、双方を配管口４（３２）内で一体的に係合連結させ、かつ内筒スリーブ体５（３３）の配管口４（３２）から室内側に突出する部分の略半円周上面側の切断支援溝１２…１３…（４２…，４３…）を切断し、この後、壁３（３Ｗ）の室内側にもう１つの壁を施工した場合、室外側から内筒及び外筒スリーブ体５（３３），６（３４）を介して所要の配管を挿通し、配管からの結露の落下は、内筒スリーブ体５（３３）に残る略半内周下面側の部分５ａ（３８）で受け止め外部へ排出させられるようにしたからであり、これによって、壁３（３Ａ）の厚さをあらかじめ熟知することなく、従って不特定な場合であっても多くの労力を要せず確実に対応することが可能であり、このため貫通スリーブ１（３１）を装着する工事前の余計な労力を低減することができ、しかも内筒スリーブ体５（３３）に残る略半内周下面側の部分５ａ（３８）を残すことに着目した関係で結露の排出をも常時行うことができ、カビや好ましくない各種雑菌の発生等をも防止できるという衛生的にも優れた効果を発揮するのである。
【００３７】
また、本発明にあっては、壁３の配管口４内で内筒スリーブ体５と外筒スリーブ体６とを係合連結する際、内筒スリーブ体５の左右外周側の複数段の被係合部１４…に対し外筒スリーブ体６の左右内周側の連結用の係合部２９，２９を係合させるという構成を採用したことで、上述の効果に加えて、内筒及び外筒スリーブ体５，６同士を係合連結に対し優れた安定感をもたらし、従って長寿命を実現し長期使用に際する信頼性を高めることができるという効果がある。
【００３８】
また、本発明にあっては、壁３Ｗの配管口３２内で内筒スリーブ体３３と外筒スリーブ体３４とを係合連結する際、内筒スリーブ体３３の外周下方に構成した複数段の被係合部４５…に対し外筒スリーブ体３４の内周下方に構成した連結用の係合部５５…を係合させるという構成を採用したことで、上述の効果に加えて、設計作業及び成形を簡素化するとともに、その分、低コスト化をも実現しながら長期使用に際する信頼性を高めることができるという効果がある。
【００３９】
上記壁が所定間隔を有する二重の壁である場合、室外側の壁３（３Ｗ）に対し配管口４（３２）を形成し、上記内筒スリーブ体５（３３）及び外筒スリーブ体６（３４）を挿通させ係合連結させるため、上述の効果に加えて、建物の施工状況、乃至施工段階に応じて極短時間に必要な工事を済ませることができ、他の業者との協働的作業をも無駄を廃し円滑に進めさせることができるという効果がある。
【００４０】
上記切断支援溝１２，１３（４２，４３）が、左右側方の中軸線方向に沿う縦方向の溝１２（４２）、及び左右側方の縦方向の溝１２（４２）に所定間隔毎に連絡する複数段の横方向の溝１３（４３）で構成されるため、カッタ具等で適宜切断することで、二重の壁３（３Ｗ）…の間の隙間８（３６）に対し内筒スリーブ体５（３３）の略半円周下面側の部分５ａ（３８）を残すことが極めて容易に行える効果があり、上述の効果に加えて、迅速な作業性をも実現するという効果がある。
【００４１】
上記配管口４（３２）、内筒スリーブ体５（３３）、及び外筒スリーブ体６（３４）が室外方向に向けて下方に傾斜する場合、落下する結露が傾斜に沿って流下し外部に排出されるため、上述の効果に加えて、結露の排出性に優れ、効率良く衛生的な状態を保つことができるという効果を発揮する。
【００４２】
上記被係合部１４（４５）が室内方向へ傾斜する複数段の三角突起であり、係合部２９（５５）が可撓性を有する板状部材２７の先端内側の三角突起２８である場合、双方が係合する際は、板状部材２７が内外の方向へ撓みながら先端内側の三角突起２８が内筒及び外筒スリーブ体５（３３），６（３４）の連結を最も深くする最適位置の被係合部１４（４５）たる三角突起に係合連結させることが容易であるため、上述の効果に加えて、貫通スリーブ１（３１）の組み立て装着の作業性、及び作業効率を向上させるという効果がある。
【００４３】
外筒スリーブ体６（３４）の先端開口２５（５６）の内周側に対し三角突起状の連結支援突起５９を形成した場合、双方の係合連結に際し、この連結支援突起５９も内筒スリーブ体５（３３）の横方向の切断支援溝１３（４３）等に係合させることができるため、上述の効果に加えて、双方の係合連結の安定化を一層促進するという効果が得られる。
【００４４】
上記板状部材２７の外筒スリーブ体６（３４）との連絡部分に対し一旦外側に湾曲してＳ字状を成す湾曲部分２７ａを構成した場合、湾曲部分２７ａが良く撓むため、上述の効果に加えて、内筒スリーブ体５（３３）の被係合部１４（４５）への外筒スリーブ体６（３４）の係合部２９（５５）の摺接移動及び係合を一段と円滑にすることができるという効果がある。
【００４５】
上記被係合部１４（４５）が所定間隔毎に先端側のエッジが丸み乃至傾斜を帯びて直立する突起状の複数段の被係合突起４６…から成り、上記係合部５５も所定間隔毎に先端側のエッジが丸み乃至傾斜を帯びて直立する突起状の複数段の係合突起５７…から成る場合も、同じく、複数段の被係合突起４６…に対する複数段の係合突起５７…の摺接移動及び係合を円滑にすることができ、作業性を一段と円滑にすることができるという効果がある。
【００４６】
上記被係合部１４（４５）が内筒スリーブ体５（３３）の外周側から内側へ窪む凹部の部分５ｃ（４４）に構成される場合、被係合部１４（４５）が内筒スリーブ５（３３）外周からの突出を回避して双方の係合連結による一体化に際し内筒スリーブ体５（３３）の外周及び外筒スリーブ体６（３４）の内周との間に隙間を生じさせないため、その一体化をより一層安定させるという効果を得ることができる。
【００４７】
上記フランジ部２２（５２）に対する複数の突起部２３（５３）の孔２４（５４）にはネジ乃至釘等を打ち込めるため、一体化を図った貫通スリーブ１（３１）を壁３（３Ｗ）に対し強固に固定することができる。
【００４８】
上記内筒スリーブ体５（３３）、及び外筒スリーブ体６（３４）は、少なくとも空調機の室外機と室内機を結ぶ冷媒用の管、もしくは冷媒用の管を収容する配管Ｈの挿通に対し適用する場合でも、内筒スリーブ５（３３）に対し二重の壁３（３Ｗ）…の間の隙間８（３６）に突出する略半円周下面側の部分５ｂ（３８）を構成するため、上述の効果に加えて、例えば夏場、配管Ｈから結露が頻繁に落下したとしても順次外部へ排出することができ、年間を通して衛生面に対する高い信頼性を確保することができるという効果を発揮する。
【図面の簡単な説明】
【図１】本発明の第１の実施の形態を示す使用状態の一部破断側面図である。
【図２】同じく他の使用状態の一部破断側面図である。
【図３】同じく斜視図である。
【図４】同じく内筒スリーブ体の構成を示す図であり、（Ａ）は背面図、（Ｂ）は側面図、（Ｃ）は正面図、（Ｄ）は同図（Ｂ）の矢線ｄに示す部分の拡大図、（Ｅ）は同図（Ｂ）のｅ−ｅ線に沿う拡大断面図である。
【図５】同じく外筒スリーブ体の構成を示す図であり、（Ａ）は背面図、（Ｂ）は側面図、（Ｃ）は正面図、（Ｄ）は同図（Ｂ）のｄ−ｄ線に沿う拡大断面図である。
【図６】本発明の第２の実施の形態を示す図であり、（Ａ）は二重の壁のうち第１の壁施工時の状態を示す一部破断側面図、（Ｂ）は二重の壁のうち第２の壁施工時の状態を示す一部破断側面図である。
【図７】同じく他への対応を示す一部破断側面図である。
【図８】同じく斜視図である。
【図９】同じく内筒スリーブ体の構成を示す図であり、（Ａ）は背面図、（Ｂ）は側面図、（Ｃ）は正面図、（Ｄ）は同図（Ｃ）のｄ−ｄ線に沿う断面図、（Ｅ）は同図（Ａ）のｅ−ｅ線に沿う断面図である。
【図１０】同じく外筒スリーブ体の構成を示す図であり、（Ａ）は背面図、（Ｂ）は側面図、（Ｃ）は正面図、（Ｄ）は同図（Ａ）のｄ−ｄ線に沿う断面図、（Ｅ）は同図（Ｄ）の矢線ｅに示す部分の拡大斜視図である。
【符号の説明】
１…貫通スリーブ                      ２…壁
３…壁                                ２Ｗ…壁
３Ｗ…壁                              ４…配管口
５…内筒スリーブ体                    ６…外筒スリーブ体
５ａ…切除後の部分                    ５ｂ…結露受け部分
５ｃ…凹分の部分                      ７…壁
８…隙間
１１…先端開口                        １１ａ…後端開口
１２…切断支援溝                      １３…切断支援溝
１４…被係合部                        １４ａ…傾斜面
１４ｂ…係止面
２１…後端開口                        ２２…フランジ部
２３…突起部                          ２４…孔
２５…先端開口                        ２６…切欠部分
２７…板状部材                        ２７ａ…湾曲部分
２８…三角突起                        ２９…係合部
３１…貫通スリーブ                    ３２…配管口
３３…内筒スリーブ体                  ３４…外筒スリーブ体
３５壁                                ３６…隙間
３７…切除後の部分                    ３８…残る部分
３９…結露受け板部分
４１…先端開口                        ４２…切断支援溝
４３…切断支援溝                      ４４…凹部の部分
４５…被係合部                        ４６…連結突起
４７…環状閉塞部分                    ４８…後端開口
４９…フランジ部                      ５１…後端開口
５２…フランジ部                      ５３…突起部
５４…孔                              ５５…係合部
５６…先端開口                        ５７…連結突起
５８…傾斜面                          ５９…連結支援突起
ｆａ…面                              ｆｂ…面
Ｈ…配管
【図１】
2004218795.tif 000003
【図２】
2004218795.tif 000004
【図３】
2004218795.tif 000005
【図４】
2004218795.tif 000006
【図５】
2004218795.tif 000007
【図６】
2004218795.tif 000008
【図７】
2004218795.tif 000009
【図８】
2004218795.tif 000010
【図９】
2004218795.tif 000011
【図１０】
2004218795.tif 000012